(57)【要約】【課題】タッチパネルを、長押しと判断されるに十分な時間押圧したことを、ユーザにわかりやすく報知するナビゲーション装置を提供する。【解決手段】ボタン（３４，３５，３６，３７）を押圧しているとき、長押しと判定されるに十分な時間が経過した時点で画面３０をフラッシュさせる。ユーザは、この後で実行される処理が短押しによる処理なのか長押しによる処理なのかを、確実に認識することができる。【選択図】図２
2009175908.tif 000002
【特許請求の範囲】
【請求項１】
操作部品を備えた画面を表示する、表示画面にタッチパネルを設けた表示モニタと、
前記操作部品を短押しした際に実行する第１の処理と、長押しした際に実行する第２の処理とを記憶する記憶手段と、
前記タッチパネルに表示された前記操作部品の押圧を検知したとき、所定時間内に押圧を終えた場合は、前記第１の処理を実行し、所定時間以上押圧し続けた場合は、ユーザに長押し操作検出を報知し、押圧を終えた時点で前記第２の処理を実行する制御手段と、を備えることを特徴とする情報表示装置。
【請求項２】
請求項１に記載の情報表示装置において、
前記長押し操作検出の報知は、前記表示モニタの表示内容のフラッシュ、前記操作部品の表示色の変化、および、前記表示画面の背景色の変化のいずれかであることを特徴とする情報表示装置。
【請求項３】
請求項１に記載の情報表示装置において、
前記表示画面を振動させる振動手段をさらに備え、
前記長押し操作検出の報知は、前記振動手段による前記表示画面の振動であることを特徴とする情報表示装置。
【請求項４】
操作部品を備えた画面を表示する、表示画面にタッチパネルを設けた表示モニタにおいて、
前記操作部品を短押しした際に実行する第１の処理と、長押しした際に実行する第２の処理とを記憶する第１の工程と、
前記タッチパネルに表示された前記操作部品の押圧を検知したとき、所定時間内に押圧を終えた場合は、前記第１の処理を実行し、所定時間以上押圧し続けたとき、ユーザに長押し操作検出を報知し、押圧を終えた時点で前記第２の処理を実行する第２の工程と、を備えるタッチパネルの操作方法。
【請求項５】
請求項４に記載のタッチパネルの操作方法において、
前記長押し操作検出の報知は、前記表示モニタの表示内容のフラッシュ、前記操作部品の表示色の変化、および、前記表示画面の背景色の変化であることを特徴とするタッチパネルの操作方法。
【請求項６】
請求項４に記載のタッチパネルの操作方法において、
前記表示画面を振動させる第３の工程をさらに備え、
前記長押し操作検出の報知は、前記第３の工程による前記表示画面の振動であることを特徴とするタッチパネルの操作方法。
【発明の詳細な説明】
【技術分野】
【０００１】
本発明は、情報表示装置およびタッチパネルの操作方法に関する。
【背景技術】
【０００２】
車載ナビゲーション装置では、タッチパネルを搭載して、画面に指を触れて操作するインタフェースを提供することが一般的である。このインタフェースでは、画面にボタンの画像を表示し、ボタンの画像に指を触れるとボタンを押したことになり、所定の動作が行われる。入力手段としてタッチパネルを用いる場合、画面に表示するボタンを指先よりも小さくしたり、狭い間隔で配置すると、操作ミスが生じる可能性が高くなる。このため、１つの画面上に用意できるボタン等の操作部品の数には自ずと制限が生じる。
【０００３】
上述の制限に対処する手法として、１つのボタンに２つの機能を割り当て、ボタンを押している長さによって２つの機能を使い分ける手法が存在する（特許文献１）。この手法では、ボタンに指が触れていた時間を計測し、所定の時間未満であれば第１の機能を実行する。他方、ボタンに所定の時間より長く指が触れていた場合には、第２の機能を実行する。後者の、ボタンに所定の時間より長く指を触れる操作を、長押し操作と呼ぶ。上述の手法を用いる際、長押し操作を検出したことを利用者に通知するため、ボタンを押してから所定の時間が経過した時点でビープ音を鳴らす方法が知られている。
【０００４】
【特許文献１】特開２００６−１４９８号公報
【発明の開示】
【発明が解決しようとする課題】
【０００５】
音楽を聴いている場合や、周囲の騒音が大きい場合など、環境音の影響でユーザがビープ音を認識しづらい状況が存在する。このような状況下では、ユーザはビープ音によって長押し操作が検出されたことを知ることができない。そのため、長押し操作を確実に行うためには、十分に長い間ボタンに指を触れていなければならず、操作性が悪化する。
【課題を解決するための手段】
【０００６】
請求項１に係る発明は、操作部品を備えた画面を表示する、表示画面にタッチパネルを設けた表示モニタと、前記操作部品を短押しした際に実行する第１の処理と、長押しした際に実行する第２の処理とを記憶する記憶手段と、前記タッチパネルに表示された前記操作部品の押圧を検知したとき、所定時間内に押圧を終えた場合は、前記第１の処理を実行し、所定時間以上押圧し続けた場合は、ユーザに長押し操作検出を報知し、押圧を終えた時点で前記第２の処理を実行する制御手段と、を備える情報表示装置である。
請求項２に係る発明は、請求項１に記載の情報表示装置において、前記長押し操作検出の報知は、前記表示モニタの表示内容のフラッシュ、前記操作部品の表示色の変化、および、前記表示画面の背景色の変化のいずれかである。
請求項３に係る発明は、請求項１に記載の情報表示装置において、前記表示画面を振動させる振動手段をさらに備え、前記長押し操作検出の報知は、前記振動手段による前記表示画面の振動である。
請求項４に係る発明は、操作部品を備えた画面を表示する、表示画面にタッチパネルを設けた表示モニタにおいて、前記操作部品を短押しした際に実行する第１の処理と、長押しした際に実行する第２の処理とを記憶する第１の工程と、前記タッチパネルに表示された前記操作部品の押圧を検知したとき、所定時間内に押圧を終えた場合は、前記第１の処理を実行し、所定時間以上押圧し続けたとき、ユーザに長押し操作検出を報知し、押圧を終えた時点で前記第２の処理を実行する第２の工程と、を備えるタッチパネルの操作方法である。
請求項５に係る発明は、請求項４に記載のタッチパネルの操作方法において、前記長押し操作検出の報知は、前記表示モニタの表示内容のフラッシュ、前記操作部品の表示色の変化、および、前記表示画面の背景色の変化である。
請求項６に係る発明は、請求項４に記載のタッチパネルの操作方法において、前記表示画面を振動させる第３の工程をさらに備え、前記長押し操作検出の報知は、前記第３の工程による前記表示画面の振動である。
【発明の効果】
【０００７】
本発明によれば、長押し操作を検出したことが利用者へ視覚的および触覚的に通知される。これにより、ナビゲーション装置から発せられる音が聞き取りづらい状況であっても、長押し操作が検出されていることを利用者が的確に把握することができる。
【発明を実施するための最良の形態】
【０００８】
――第１の実施の形態――
図１は、本実施形態におけるナビゲーション装置１を示すブロック図である。このナビゲーション装置１では、表示モニタ１６に表示された地図上に線図を描いて、その線図の範囲内に再経路探索する範囲を指定することができる。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル２０、ラジオ受信部２１、データ記憶部２２およびディスクドライブ２３を有している。ディスクドライブ２３には、地図データが記憶されたＤＶＤ−ＲＯＭ２４が装填されている。
【０００９】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ２４に記憶された地図データに基づいて所定の経路探索処理を行う。そして、その処理結果が推奨経路として表示モニタ１６に表示される。
【００１０】
現在地検出装置１４は車両の現在地を検出する装置である。現在地検出装置１４は、振動ジャイロ１４ａ、車速センサ１４ｂ、ＧＰＳ（Ｇｌｏｂａｌ  Ｐｏｓｉｔｉｏｎｉｎｇ  Ｓｙｓｔｅｍ）センサ１４ｃなどからなる。振動ジャイロ１４ａは、車両の進行方向を検出する。車速センサ１４ｂは、車速を検出する。ＧＰＳセンサ１４ｃは、ＧＰＳ衛星からのＧＰＳ信号を検出する。ナビゲーション装置１は、この現在地検出装置１４により検出された車両の現在地に基づいて、地図の表示範囲や経路探索開始点などを決定するとともに、地図上にその現在地を表示する。
【００１１】
画像メモリ１５は、表示モニタ１６に表示するための画像データを格納する。この画像データは道路地図描画用データや各種の図形データからなり、それらはＤＶＤ−ＲＯＭ２４に記憶された地図データに基づいて、適宜生成される。ナビゲーション装置１は、このようにして生成された画像データを用いることによって地図表示など行うことができる。
【００１２】
ディスクドライブ２３は、ＤＶＤ−ＲＯＭ２４から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、ユーザの要求にしたがって、表示地図の縮尺を変更することができる。なお、ＤＶＤ−ＲＯＭ２４以外の他の記録メディア、たとえばＣＤ−ＲＯＭやハードディスクなどより地図データを読み出してもよい。
【００１３】
表示モニタ１６は、地図データなどの各種情報に基づいて、自車位置付近の道路地図などの各種情報を画面表示としてユーザに提供する。スピーカ１７は、各種入力操作をユーザに指示したり、経路誘導したりするための音声を出力する。入力装置１８は、ユーザが各種コマンドを設定するための入力スイッチを有し、操作パネルやリモコンなどによって実現される。ユーザは、表示モニタ１６の表示画面の指示やスピーカ１７からの音声指示に従って入力装置１８を手動で操作することにより、目的地を選択して目的地を設定する。
【００１４】
タッチパネル２０は、表示モニタ１６の表面に積層される透明のタッチスイッチであり、表示モニタ１６に表示される画像はタッチパネル２０を通して表示される。タッチパネル２０は、タッチパネル２０上の操作位置に応じた信号をタッチパネルコントロール部１９に送出する。そして、タッチパネルコントロール部１９はタッチパネル２０の押圧位置を算出する。
【００１５】
表示モニタ１６の表示画面を押圧するとタッチパネル２０が押圧される。そして、押圧した位置に目的地が設定されたり、押圧された各種ボタンや表示メニューに定義された処理が実行されたりする。
【００１６】
ラジオ受信部２１は、ラジオ放送を受信し音声信号を出力する。受信するラジオ放送の変調方式（ＡＭ、ＦＭ）および周波数は、制御回路１１によって設定される。
【００１７】
目的地がユーザにより設定されると、ナビゲーション装置１はＧＰＳセンサ１４ｃにより検出された現在地を出発地として目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路に従って車両が走行できるように、ユーザに対して画面や音声などによる進行方向指示を行い、車両を経路誘導する。
【００１８】
次に、本発明の実施形態のナビゲーション装置１におけるタッチパネル操作を、図２を参照して説明する。図２は、ラジオ放送の選局を行う画面を表示した表示モニタ１６の表示画面である。表示画面３０の上部には、受信中のラジオ放送の変調方式、周波数（３１）、周波数変更ボタン（３２，３３）が表示されている。ボタン３２を押すと周波数３１が下がり、ボタン３３を押すと周波数３１が上がる。
【００１９】
表示画面３０の下部には、あらかじめ設定しておいた周波数を呼び出すためのプリセットボタンが４つ（３４，３５，３６，３７）表示されている。それぞれのボタンの下部には、そのボタンに割り当てられている周波数表示（Ｐ１，Ｐ２，Ｐ３，Ｐ４）が存在する。プリセットボタンには短押しあるいは長押しのいずれかの操作を行うことができる。短押しは、ボタンを押圧し、所定時間が経過する前に押圧を終える操作を指す。また、長押しは、ボタンを所定時間以上押圧し続けた後に押圧を終える操作を指す。
【００２０】
ボタンを押圧しているとき、長押しと判断するための所定時間が経過すると、表示画面３０に対してフラッシュ操作が行われる。フラッシュ操作は、表示画面全体に短時間だけ特別な表示を行う操作を指す。この特別な表示は、例えば画面全体を白で塗りつぶした表示であったり、画面全体の表示内容をネガポジ反転する表示である。フラッシュ操作を行うことで、長押しと判断される所定時間が経過したことをユーザが認識できる。
【００２１】
プリセットボタンは、短押しを行うことで、それぞれのボタンに割り当てられている周波数が受信する周波数に設定され、周波数表示３１の表示内容が変更される。プリセットボタンの長押しを行うと、受信中の周波数が長押ししたプリセットボタンに割り当てられ、対応する周波数表示（Ｐ１，Ｐ２，Ｐ３，Ｐ４のいずれか）の表示内容が変更される。プリセットボタンに割り当てられた周波数はデータ記憶部２２に記憶される。
【００２２】
短押しを行った場合の処理と、長押しを行った場合の処理は、以下に説明するデータ構造で管理されている。図３は、ボタン操作と実行する処理を関連付けるデータ構造を示した図である。それぞれの画面には、画面に表示されている表示部品の一覧が存在する。それぞれの表示部品には、表示部品で発生するイベントと、イベントが発生した際の処理内容が割り当てられている。図３には、表示画面３０に存在するプリセットボタン３４について、短押しが行われた場合は受信中の周波数を切り替える処理を、長押しが行われた場合はプリセット値を変更する処理を行うことが示されている。
【００２３】
なお、以上の長押しについての説明は、ラジオ放送の選局画面を用いて行ったが、その他の画面に対しても適用できることは当然である。
【００２４】
次に、図を用いて、ボタンの短押し処理もしくは長押し処理を実行するための具体的な処理内容を説明する。図４は、ボタンの短押し処理もしくは長押し処理を実行する処理内容を説明するためのフローチャートである。この処理は、制御回路１１が、ＲＯＭ１２に記録されている制御プログラムを実行することによって実現される。ナビゲーション装置１がユーザからの入力を受け付ける状態にあるときには、この処理が継続して実行されている。
【００２５】
まずステップＳ１では、ボタンが押圧されているか否かを判定する。ボタンが押圧されていた場合、ステップＳ１により肯定判定がなされ、ステップＳ２に進む。他方、ステップＳ１において否定判定がなされた場合は、短押し処理と長押し処理のいずれも実行せずに本処理を終了する。ステップＳ２では、ボタンが押圧されている時間を計測するためのタイマーを始動する。ステップＳ３では、タイマーが記録する計測時間の値が、長押しと判定する時間のしきい値よりも大きいか否かを判定する。タイマー値がしきい値よりも大きい場合はステップＳ３により肯定判定がなされ、ステップＳ４へ進む。他方、ステップＳ３において否定判定がなされた場合は、ステップＳ６へ進む。ステップＳ４では、長押しをユーザに通知済みか否かを判定する。既に長押しを通知済みであった場合は、ステップＳ４により肯定判定がなされ、ステップＳ６へ進む。他方、ステップＳ４において否定判定がなされた場合は、ステップＳ５へ進む。ステップＳ５では、画面をフラッシュさせてユーザに長押しを通知する。これ以降、ステップＳ４では肯定判定がなされる。
【００２６】
ステップＳ６では、ボタンの押圧が継続されているか否かを判定する。ボタンが押圧されている場合、ステップＳ６により肯定判定がなされ、ステップＳ３へ戻る。他方、ステップＳ６において否定判定がなされた場合は、ステップＳ７へ進む。ステップＳ７では、ボタンが押圧されている時間を計測するためのタイマーを停止する。ステップＳ８では、ステップＳ３と同様に、タイマーによって記録された時間がしきい値よりも大きいか否かを判定する。タイマー値がしきい値よりも大きい場合はステップＳ８により肯定判定がなされ、ステップＳ９へ進む。ステップＳ９では、押圧したボタンに割り当てられている長押し処理を実行する。他方、ステップＳ８において否定判定がなされた場合は、ステップＳ１０へ進む。ステップＳ１０では、押圧したボタンに割り当てられている短押し処理を実行する。以上のようにして、ボタンの短押し処理もしくは長押し処理を実行する。
【００２７】
上述した第１の実施の形態によるナビゲーション装置によれば、次の作用効果が得られる。
（１）１つの表示部品に対し、短押しと長押しという２つの操作を導入した。これにより、限られた表示部品の数でより多くの機能をユーザに選択させることができる。
（２）ボタンを押圧しているとき、長押しと判定されるに十分な時間が経過した時点で画面がフラッシュする。これにより、ユーザはこの後で実行される処理が短押しによる処理なのか長押しによる処理なのかを騒音中でも確実に認識することができる。
【００２８】
上述した第１の実施の形態では、長押し操作を検出したことを、表示画面をフラッシュさせることでユーザに通知していた。以下に詳述する第２の実施の形態では、表示画面に振動を発生させることで、長押し操作の検出をユーザに通知する。
【００２９】
――第２の実施の形態――
図５は、本実施形態におけるナビゲーション装置１０１を示すブロック図である。ナビゲーション装置１０１には、第１の実施の形態におけるナビゲーション装置１に加えて、振動装置２５を備えている。振動装置２５は、表示モニタ１６の表示面に、振動を発生させることができる。表示モニタ１６の表面にはタッチパネル２０が積層されているため、振動装置２５に起因する振動は、タッチパネル２０を押圧している指などに伝達される。
【００３０】
ナビゲーション装置１０１は、第１の実施の形態と同様の処理によって、ボタンの短押し処理もしくは長押し処理を実行する。ただし、長押し操作が検出されたとき、画面をフラッシュさせる代わりに、振動装置２５を用いて振動を発生させる。ユーザは画面の変化ではなく、指に伝わる振動を確認することで、長押し操作が検出されたことを認識することができる。
【００３１】
上述した第２の実施の形態によるナビゲーション装置によれば、第１の実施の形態によるナビゲーション装置で得られる作用効果に加えて、次の作用効果が得られる。画面をフラッシュさせるのではなく、タッチパネル２０を押下している指などへ振動を伝えることで、ユーザに長押し操作を検出したことを通知する。これにより、視覚ではなく触覚に対して通知を行うことができるので、ユーザが表示モニタ１６に注目していなくても長押し操作が行われたことを確認できる。
【００３２】
上述した第１の実施の形態ならびに第２の実施の形態は、タッチパネルを備えたナビゲーション装置であった。本発明はナビゲーション装置だけではなく、タッチパネルを備えた任意の情報表示装置に適用することができる。以下に詳述する第３の実施の形態は、長押し操作を検出したことを、表示画面をフラッシュさせることでユーザに通知する、タッチパネルを備えた携帯通信端末である。
【００３３】
――第３の実施の形態――
図５は、本実施形態における携帯通信端末２０１を示すブロック図である。携帯通信端末２０１は、第１の実施の形態におけるナビゲーション装置１と同様に、制御回路２１１，ＲＯＭ２１２、ＲＡＭ２１３、画像メモリ２１５、表示モニタ２１６、スピーカ２１７、入力装置２１８、タッチパネル２２０およびデータ記憶部２２２を備える。さらに、携帯通信端末２０１は、外部のネットワークや通信機器と通信を行うための通信装置２２６を備える。
【００３４】
携帯通信端末２０１においても、第１の実施の形態におけるナビゲーション装置１と同様に、表示モニタ２１６に表示されるボタンなどを長押しした際、表示画面のフラッシュが実行される。これにより、第１の実施の形態におけるナビゲーション装置１と同様の作用効果が得られる。
【００３５】
次のような変形も本発明の範囲内である。
（１）第１の実施の形態における画面のフラッシュと、第２の実施の形態における振動を、同時に行ってもよい。これにより、視覚と触覚の両方に対して長押し操作の検出を通知することができる。
（２）長押し操作を検出したことを、ボタンの色を変化させることでユーザに通知してもよい。例えば、所定時間が経過していない間はボタンを赤色で表示し、所定時間経過後はボタンを青色で表示する。また、ボタンの色ではなく画面の背景色を変化させてもよい。
【００３６】
本発明の特徴を損なわない限り、本発明は上記実施の形態に限定されるものではなく、本発明の技術的思想の範囲内で考えられるその他の形態についても、本発明の範囲内に含まれる。
【００３７】
なお、以上説明した実施の形態におけるナビゲーション装置の各構成要素と特許請求の範囲の各構成要素との対応関係は以下の通りである。表示モニタ１６は表示モニタに相当し、ＲＯＭ１２は記憶手段に相当し、制御回路１１は制御手段に相当する。
【００３８】
なお、以上の対応関係の説明は一例であり、権利解釈に際して何ら拘束されるものではない。
【図面の簡単な説明】
【００３９】
【図１】第１の実施の形態におけるナビゲーション装置１を示すブロック図である。
【図２】ラジオ放送の選局を行う画面を表示した表示モニタ１６の表示画面である。
【図３】ボタン操作と実行する処理を関連付けるデータ構造を示した図である。
【図４】ボタンの短押し処理もしくは長押し処理を実行する処理内容を説明するためのフローチャートである。
【図５】第２の実施の形態におけるナビゲーション装置１０１を示すブロック図である。
【図６】第３の実施の形態における携帯通信端末２０１を示すブロック図である。
【符号の説明】
【００４０】
１，１０１  ナビゲーション装置
１１，１１１  制御回路
３０  ラジオ放送選局時の表示画面
３４，３５，３６，３７  プリセットボタン
【図１】
2009175908.tif 000003
【図２】
2009175908.tif 000004
【図３】
2009175908.tif 000005
【図４】
2009175908.tif 000006
【図５】
2009175908.tif 000007
【図６】
2009175908.tif 000008